【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
車体の側部を構成するサイメンアウタパネルの下部を構成し、車幅方向内側に開口した断面ハット状とされて下部に貫通穴が形成されたロッカアウタパネルと、
前記ロッカアウタパネルの車幅方向内側において車体前後方向に延在し、車幅方向外側に開口した断面ハット状とされて前記ロッカアウタパネルとで閉断面構造を形成するロッカインナパネルと、
前記ロッカインナパネルと前記ロッカアウタパネルとの間に配設されて車体前後方向に延在し、車幅方向内側に開口した断面ハット状とされて前記ロッカインナパネルとで閉断面構造を形成するロッカリインホースと、
前記ロッカインナパネルと前記ロッカリインホースとで形成された閉断面構造の断面内に配設され、前記ロッカリインホースに重ね合わされ且つ隙間を空けた状態で接合された補強部材と、
を有し、前記補強部材に内側開口部が貫通形成されると共に、前記ロッカリインホースには、前記内側開口部と重ね合わせて設けられ、且つ、上端位置が前記内側開口部に対して車体上側にオフセットして配置された外側開口部が貫通形成されていることを特徴とする車体のロッカ構造。
【請求項２】
前記外側開口部の車体上下方向中央部は、前記内側開口部の車体上下方向中央部に対して車体上側にオフセットして配置されていることを特徴とする請求項１に記載の車体のロッカ構造。
【手続補正２】
【補正対象書類名】明細書
【補正対象項目名】発明の名称
【補正方法】変更
【補正の内容】
【発明の名称】車体のロッカ構造
【手続補正３】
【補正対象書類名】明細書
【補正対象項目名】０００１
【補正方法】変更
【補正の内容】
【０００１】
本発明は、閉断面構造とされた車体のロッカ構造に関する。
【手続補正４】
【補正対象書類名】明細書
【補正対象項目名】０００５
【補正方法】変更
【補正の内容】
【０００５】
本発明は上記事実を考慮し、ロッカリインホースの補強部材との対向面、及び補強部材のロッカリインホースとの対向面への防錆処理液の付着を促進させることができる車体のロッカ構造を提供することを目的とする。
【手続補正５】
【補正対象書類名】明細書
【補正対象項目名】０００６
【補正方法】変更
【補正の内容】
【０００６】
請求項１に記載の車体のロッカ構造は、車体の側部を構成するサイメンアウタパネルの下部を構成し、車幅方向内側に開口した断面ハット状とされて下部に貫通穴が形成されたロッカアウタパネルと、前記ロッカアウタパネルの車幅方向内側において車体前後方向に延在し、車幅方向外側に開口した断面ハット状とされて前記ロッカアウタパネルとで閉断面構造を形成するロッカインナパネルと、前記ロッカインナパネルと前記ロッカアウタパネルとの間に配設されて車体前後方向に延在し、車幅方向内側に開口した断面ハット状とされて前記ロッカインナパネルとで閉断面構造を形成するロッカリインホースと、前記ロッカインナパネルと前記ロッカリインホースとで形成された閉断面構造の断面内に配設され、前記ロッカリインホースに重ね合わされ且つ隙間を空けた状態で接合された補強部材と、を有し、前記補強部材に内側開口部が貫通形成されると共に、前記ロッカリインホースには、前記内側開口部と重ね合わせて設けられ、且つ、上端位置が前記内側開口部に対して車体上側にオフセットして配置された外側開口部が貫通形成されていることを特徴とする。
【手続補正６】
【補正対象書類名】明細書
【補正対象項目名】０００７
【補正方法】変更
【補正の内容】
【０００７】
請求項１に記載の車体のロッカ構造では、ロッカインナパネルとロッカアウタパネルとで閉断面構造が形成されると共に、ロッカインナパネルとロッカアウタパネルとの間に配設されたロッカリインホースと、ロッカインナパネルとで閉断面構造が形成されている。また、ロッカインナパネルとロッカリインホースとで形成された閉断面構造の断面内に補強部材が配設され、この補強部材は、ロッカリインホースに重ね合わされた状態で接合されている。
【手続補正７】
【補正対象書類名】明細書
【補正対象項目名】０００８
【補正方法】変更
【補正の内容】
【０００８】
ロッカアウタパネルの下部には貫通穴が形成され、補強部材には内側開口部が貫通形成されると共に、ロッカリインホースには外側開口部が貫通形成されて内側開口部に重ね合わせて設けられており、車体のロッカを防錆処理液に浸漬した際に、車体のロッカの断面内へ防錆処理液を流し込むことが可能となっている。また、補強部材がロッカリインホースに隙間を空けた状態で接合されていることにより、車体のロッカを防錆処理液に浸漬した際に、補強部材とロッカリインホースとの隙間に防錆処理液を流し込むことが可能となっている。
【手続補正８】
【補正対象書類名】明細書
【補正対象項目名】０００９
【補正方法】変更
【補正の内容】
【０００９】
ここで、外側開口部の上端位置が、内側開口部に対して車体上側にオフセットして配置されており、補強部材の内側開口部より車体上側の部位が外側開口部と重なり合っている。このため、車体のロッカを防錆処理液に浸漬した際に、防錆処理液が、補強部材の内側開口部より車体上側の部位に当たり、該部位を伝って該部位の車体上方の上記隙間へ流れ込む。
【手続補正９】
【補正対象書類名】明細書
【補正対象項目名】００１０
【補正方法】変更
【補正の内容】
【００１０】
即ち、補強部材の内側開口部より車体上側、且つ外側開口部と重なり合う部位により、該部位の車体上方の上記隙間へ防錆処理液が積極的に流し込まれる。よって、内側開口部及び外側開口部の車体上側において、ロッカリインホースの補強部材との対向面、及び補強部材のロッカリインホースとの対向面への防錆処理液の付着が促進される。
【手続補正１０】
【補正対象書類名】明細書
【補正対象項目名】００１１
【補正方法】変更
【補正の内容】
【００１１】
請求項２に記載の車体のロッカ構造は、請求項１に記載の車体のロッカ構造であって、前記外側開口部の車体上下方向中央部は、前記内側開口部の車体上下方向中央部に対して車体上側にオフセットして配置されていることを特徴とする。
【手続補正１１】
【補正対象書類名】明細書
【補正対象項目名】００１２
【補正方法】変更
【補正の内容】
【００１２】
請求項２に記載の車体のロッカ構造では、外側開口部の車体上下方向中央部が、内側開口部の車体上下方向中央部に対して車体上側にオフセットして配置されている。これにより、外側開口部を拡大させることなく、また、内側開口部を縮小させることなく、補強部材の内側開口部より車体上側であり、外側開口部と重なり合う部位の面積を拡大させることができる。
【手続補正１２】
【補正対象書類名】明細書
【補正対象項目名】００１３
【補正方法】変更
【補正の内容】
【００１３】
よって、ロッカリインホースの強度の低下を抑制し、且つ、車体のロッカの断面内への防錆処理液の流入に対する影響を抑制しつつ、内側開口部及び外側開口部の車体上側において、ロッカリインホースの補強部材との対向面及び補強部材のロッカリインホースとの対向面への防錆処理液の付着を促進させることが可能である。
【手続補正１３】
【補正対象書類名】明細書
【補正対象項目名】００１４
【補正方法】変更
【補正の内容】
【００１４】
以上説明したように、本発明によれば、ロッカリインホースの補強部材との対向面、及び補強部材のロッカリインホースとの対向面への防錆処理液の付着を促進させることが可能である車体のロッカ構造を提供できる。
【手続補正１４】
【補正対象書類名】明細書
【補正対象項目名】００１５
【補正方法】変更
【補正の内容】
【００１５】
次に、本発明の車体のロッカ構造の一実施形態を図１乃至図９に従って説明する。
なお、図中矢印ＦＲは車体前方方向を、矢印ＵＰは車体上方方向を、矢印ＩＮは車幅内方方向を示す。
【手続補正１５】
【補正対象書類名】明細書
【補正対象項目名】００１８
【補正方法】変更
【補正の内容】
【００１８】
閉断面構造体１０は、車幅方向外側に開口した断面ハット状のロッカインナパネル２８と、ロッカインナパネル２８とロッカアウタパネル２４との間に配設され車幅方向内側に開口した断面ハット状のロッカリインホース３０とを備えている。
【手続補正１６】
【補正対象書類名】明細書
【補正対象項目名】００２１
【補正方法】変更
【補正の内容】
【００２１】
また、Ｌ字リインホース３２は、縦壁部３０Ａと重ね合わせて配設された縦壁部３２Ａと、上壁部３０Ｂと重ね合わせて配設された上壁部３２Ｂとを備えている。縦壁部３２Ａの下端部には、複数のスポット溶接用の座面３２Ｃが車体前後方向に沿って所定間隔おきに形成され、上壁部３２Ｂの上端部には、複数のスポット溶接用の座面３２Ｄが車体前後方向に沿って所定間隔おきに形成されており、座面３２Ｃが縦壁部３０Ａの下端部に溶接され、座面３２Ｄが上壁部３０Ｂの上端部に溶接される。
【手続補正１７】
【補正対象書類名】明細書
【補正対象項目名】００３１
【補正方法】変更
【補正の内容】
【００３１】
また、ロッカアウタパネル２４とロッカリインホース３０との間の閉断面内へ流れ込んだ防錆処理液は、ロッカリインホース３０に形成されたＥＤ穴３６、及びＬ字リインホース３２に形成されたＥＤ穴３８から閉断面構造体１０の閉断面内へ流れ込み、閉断面構造体１０の内壁に付着する。
【手続補正１８】
【補正対象書類名】明細書
【補正対象項目名】００４５
【補正方法】変更
【補正の内容】
【００４５】
以上、本発明を特定の実施形態について詳細に説明したが、本発明はかかる実施形態に限定されるものではなく、本発明の範囲内にて他の種々の実施形態が可能であることは当業者にとって明らかである。
【手続補正１９】
【補正対象書類名】明細書
【補正対象項目名】００４７
【補正方法】変更
【補正の内容】
【００４７】
１２    車体
１４    サイメンアウタパネル
２４    ロッカアウタパネル
２６    ロッカ
２８    ロッカインナパネル
３０    ロッカリインホース
３２    Ｌ字リインホース（補強部材）
３４    ＥＤ穴（貫通穴）
３６    ＥＤ穴（外側開口部）
３８    ＥＤ穴（内側開口部）
Ｏ      隙間